(57)【要約】【課題】検査一覧もしくは検査結果を表示させる際の使い勝手を向上させること。【解決手段】検査一覧表示処理部１０１は、ある患者の検査の一覧を示す検査一覧画面の表示要求があった場合、オーダ情報／実施結果情報保管部００３に保管されているオーダ情報を元に検査一覧画面情報を生成すると共に、オーダ情報／実施結果情報保管部に保管されている実施結果情報のうち、実施登録日時が最新の検査のオーダ番号を取得する。検査結果保管部００２は、検査結果を示す検査結果情報を保管し、検査一覧表示処理部１０１により取得されたオーダ番号に対応する検査結果情報を送出する。表示処理部００４は、検査一覧表示処理部１０１により生成された検査一覧画面情報に基づく検査一覧画面をモニタ００５に表示すると共に、検査結果保管部００２により送出された検査結果情報に基づく検査結果画面を検査結果表示用モニタ００６に表示する。【選択図】      図５
2009104551.tif 000002
【特許請求の範囲】
【請求項１】
検査のオーダ情報と当該検査の実施結果情報とを保管するオーダ情報／実施結果情報保管部と、
ある患者の検査の一覧を示す検査一覧画面の表示要求があった場合、前記オーダ情報／実施結果情報保管部に保管されているオーダ情報を元に検査一覧画面情報を生成すると共に、前記オーダ情報／実施結果情報保管部に保管されている実施結果情報のうち、実施登録日時が最新の検査のオーダ番号を取得する検査一覧表示処理部と、
検査結果を示す検査結果情報を保管し、前記検査一覧表示処理部により取得されたオーダ番号に対応する検査結果情報を送出する検査結果保管部と、
前記検査一覧表示処理部により生成された検査一覧画面情報に基づく検査一覧画面を表示装置に表示すると共に、前記検査結果保管部により送出された検査結果情報に基づく検査結果画面を表示装置に表示する表示処理部と
を具備することを特徴とする検査一覧表示処理装置。
【請求項２】
ある患者の検査の一覧を示す検査一覧画面を表示し、その検査一覧画面に示されるある検査に対応する検査結果画面を表示装置に表示する表示処理部と、
前記表示処理部により表示される検査結果画面を識別する検査結果表示情報を保管する検査結果表示情報保管部と、
を具備し、
前記表示処理部は、前記検査一覧画面が閉じられた場合に、前記検査結果表示情報保管部に保管されている前記検査結果表示情報に示される検査結果画面を閉じることを特徴とする検査一覧表示処理装置。
【請求項３】
検査対象の部位と撮影装置毎に定められた部位コードとの対応関係を示す部位情報を保管する部位情報保管部と、
検査結果を示す検査結果情報を保管する検査結果保管部と、
ある患者の検査の一覧を示す検査一覧画面において検索の絞込み条件として部位が指定された場合、前記部位情報保管部に保管されている部位情報を参照して、対応する部位コードを取得し、取得した部位コードを元に前記検査結果保管部から対応する検査一覧情報を取得し、取得した検査一覧情報を元に検査一覧画面情報を生成する検査一覧表示処理部と、
前記検査一覧表示処理部により生成された検査一覧画面情報に基づく検査一覧画面を表示装置に表示する表示処理部と
を具備することを特徴とする検査一覧表示処理装置。
【請求項４】
請求項３に記載の検査一覧表示処理装置において、
前記絞込み条件を示すオーダ選択情報を保管するオーダ選択情報保管部を更に具備し、
前記表示処理部は、前記検査一覧画面を再び表示する際に、前記オーダ選択情報保管部に保管されているオーダ選択情報に示される絞込み条件を前記検査一覧画面内に表示することを特徴とする検査一覧表示処理装置。
【請求項５】
請求項３に記載の検査一覧表示処理装置において、
操作者ごとの前記絞込み条件を示す操作者オーダ選択情報を保管する操作者オーダ選択情報保管部を更に具備し、
前記表示処理部は、前記検査一覧画面を再び表示する際に、前記オーダ選択情報保管部に保管されている前記操作者オーダ選択情報を参照して、該当する操作者の絞込み条件を前記検査一覧画面内に表示することを特徴とする検査一覧表示処理装置。
【請求項６】
請求項４又は５に記載の検査一覧表示処理装置において、
前記検査一覧画面を再び表示する際に、前記検査一覧表示処理部は、前記検査結果保管部から前記絞込み条件に合致する検査一覧情報を取得し、取得した検査一覧情報を元に検査一覧画面情報を生成し、
前記表示処理部は、前記検査一覧表示処理部により生成された検査一覧画面情報に基づく検査一覧画面を表示装置に表示することを特徴とする検査一覧表示処理装置。
【請求項７】
検査のオーダ情報と当該検査の実施結果情報とを保管するオーダ情報／実施結果情報保管部と、
各検査室の撮影装置がDISCOM MWM (Digital Imaging and Communication in Medicine/Modality Worklist Management)規格に対応しているか否かを示すＭＷＭ情報を保管するＭＷＭ情報保管部と、
ある患者の検査の一覧を示す検査一覧画面の表示要求があった場合、前記オーダ情報／実施結果情報保管部に保管されているオーダ情報を元に検査一覧画面情報を生成すると共に、前記オーダ情報から検査装置を示す情報を取得し、前記ＭＷＭ情報を参照して、当該検査装置がDISCOM MWM規格に対応しているか否かを判定し、DISCOM MWM規格に対応している場合には前記オーダ情報を送出し、DISCOM MWM規格に対応している場合には前記オーダ情報に代わる情報を送出する検査一覧表示処理部と、
検査結果を示す検査結果情報を保管し、前記検査一覧表示処理部から送出される情報に対応する検査結果情報を送出する検査結果保管部と、
前記検査一覧表示処理部により生成された検査一覧画面情報に基づく検査一覧画面を表示装置に表示すると共に、前記検査結果保管部により送出された検査結果情報に基づく検査結果画面を表示装置に表示する表示処理部と
を具備することを特徴とする検査一覧表示処理装置。
【請求項８】
検査のオーダ情報と当該検査の実施結果情報とをオーダ情報／実施結果情報保管部に保管しておき、
ある患者の検査の一覧を示す検査一覧画面の表示要求があった場合、検査一覧表示処理部により、前記オーダ情報／実施結果情報保管部に保管されているオーダ情報を元に検査一覧画面情報を生成すると共に、前記オーダ情報／実施結果情報保管部に保管されている実施結果情報のうち、実施登録日時が最新の検査のオーダ番号を取得し、
検査結果保管部により、検査結果を示す検査結果情報を保管しておき、前記検査一覧表示処理部により取得されたオーダ番号に対応する検査結果情報を送出し、
表示処理部により、前記検査一覧表示処理部により生成された検査一覧画面情報に基づく検査一覧画面を表示装置に表示すると共に、前記検査結果保管部により送出された検査結果情報に基づく検査結果画面を表示装置に表示する
ことを特徴とする検査一覧表示処理方法。
【発明の詳細な説明】
【技術分野】
【０００１】
本発明は、医療施設で扱われる検査一覧などの画面を表示する検査一覧表示処理装置及び検査一覧表示処理方法に関する。
【背景技術】
【０００２】
一般に、医療施設における情報システムは、上位システムとして、医師が患者を診察した結果を記録する電子カルテシステムや、診察の結果から検査指示を各検査部門に出すオーダーエントリーシステムがある。これらは狭義の意味としてＨＩＳ（Hospital Information System）と呼ばれている。さらに、下位システムとして、ＨＩＳからのオーダ受信・検査の実施結果の返信などを行う各種の画像部門システムや、検査結果情報（検査画像・読影レポートなど）の返信などを行う検査画像保管装置や読影レポート装置などがある。
【０００３】
また、医療機関内の複数の部門システムで発行される、ＨＬ７やＭＥＲＩＴ９などのオープン規格に準拠したＸＭＬデータ形式の医療情報を管理する医療情報サーバを配置し、通信形式やデータ形式が異なる複数のサブシステムとの接続による医療情報システム全体の構築に対し、システム構築の効率化を支援するための医療施設向けの情報システムも知られている（例えば特許文献１参照）。
【特許文献１】特開２００４−１１０４４６号公報
【発明の開示】
【発明が解決しようとする課題】
【０００４】
しかしながら、従来の医療検査システムにおいては、例えば、操作者がある端末のモニタ画面を通じてある患者の検査一覧や検査結果を表示させたい場合に、以下のような問題がある。
【０００５】
（１）操作者が検査結果画面を表示させる場合、検査数が少ない、あるいは最新の検査結果を表示させたい場合でも検査一覧画面から該当する検査結果を操作者が選択しなくてはならない。（２）検査一覧画面から表示した検査結果画面は検査一覧画面を消去しても画面上に残っており、他の患者の検査結果を間違えて参照してしまう場合がある。（３）撮影部位は部位コードが撮影装置ごとに異なるため、検査一覧画面ではオーダ情報・実施結果情報の範囲でのみ絞込みを行うため、部位を指定した絞込みが出来ない。（４）新たに検査一覧画面を表示した場合、同一条件で絞込みを行いたい場合には、再度絞り込み条件を設定しけければならない。（５）複数の場所に分散してモニタが設置されている、あるいは他の操作者の後にモニタを使用する場合には、他の操作者の絞込み条件で検査一覧画面が表示されてしまう。（６）前回の条件で絞り込んだ検査結果をモニタに表示するためには、たとえ絞り込んだ検査結果が少ない件数でも、操作者が検査一覧画面で表示させたい検査を選択しなければならない。（７）撮影装置がDISCOM MWM (Digital Imaging and Communication in Medicine/Modality Worklist Management)規格に対応していない場合、オーダ番号での扱いができないため、検査を特定することができず、検査結果の呼び出しが出来ない。
【０００６】
本発明は上述した課題を解決するためになされたものであり、検査一覧もしくは検査結果を表示させる際の使い勝手を向上させる検査一覧表示処理装置及び検査一覧表示処理方法を提供することを目的とする。
【課題を解決するための手段】
【０００７】
本発明に係る検査一覧表示処理装置は、検査のオーダ情報と当該検査の実施結果情報とを保管するオーダ情報／実施結果情報保管部と、ある患者の検査の一覧を示す検査一覧画面の表示要求があった場合、前記オーダ情報／実施結果情報保管部に保管されているオーダ情報を元に検査一覧画面情報を生成すると共に、前記オーダ情報／実施結果情報保管部に保管されている実施結果情報のうち、実施登録日時が最新の検査のオーダ番号を取得する検査一覧表示処理部と、検査結果を示す検査結果情報を保管し、前記検査一覧表示処理部により取得されたオーダ番号に対応する検査結果情報を送出する検査結果保管部と、前記検査一覧表示処理部により生成された検査一覧画面情報に基づく検査一覧画面を表示装置に表示すると共に、前記検査結果保管部により送出された検査結果情報に基づく検査結果画面を表示装置に表示する表示処理部とを具備することを特徴とする。
【０００８】
本発明に係る検査一覧表示処理装置は、ある患者の検査の一覧を示す検査一覧画面を表示し、その検査一覧画面に示されるある検査に対応する検査結果画面を表示装置に表示する表示処理部と、前記表示処理部により表示される検査結果画面を識別する検査結果表示情報を保管する検査結果表示情報保管部とを具備し、前記表示処理部は、前記検査一覧画面が閉じられた場合に、前記検査結果表示情報保管部に保管されている前記検査結果表示情報に示される検査結果画面を閉じることを特徴とする。
【０００９】
本発明に係る検査一覧表示処理装置は、検査対象の部位と撮影装置毎に定められた部位コードとの対応関係を示す部位情報を保管する部位情報保管部と、検査結果を示す検査結果情報を保管する検査結果保管部と、ある患者の検査の一覧を示す検査一覧画面において検索の絞込み条件として部位が指定された場合、前記部位情報保管部に保管されている部位情報を参照して、対応する部位コードを取得し、取得した部位コードを元に前記検査結果保管部から対応する検査一覧情報を取得し、取得した検査一覧情報を元に検査一覧画面情報を生成する検査一覧表示処理部と、前記検査一覧表示処理部により生成された検査一覧画面情報に基づく検査一覧画面を表示装置に表示する表示処理部とを具備することを特徴とする。
【００１０】
本発明に係る検査一覧表示処理装置は、検査のオーダ情報と当該検査の実施結果情報とを保管するオーダ情報／実施結果情報保管部と、各検査室の撮影装置がDISCOM MWM (Digital Imaging and Communication in Medicine/Modality Worklist Management)規格に対応しているか否かを示すＭＷＭ情報を保管するＭＷＭ情報保管部と、ある患者の検査の一覧を示す検査一覧画面の表示要求があった場合、前記オーダ情報／実施結果情報保管部に保管されているオーダ情報を元に検査一覧画面情報を生成すると共に、前記オーダ情報から検査装置を示す情報を取得し、前記ＭＷＭ情報を参照して、当該検査装置がDISCOM MWM規格に対応しているか否かを判定し、DISCOM MWM規格に対応している場合には前記オーダ情報を送出し、DISCOM MWM規格に対応している場合には前記オーダ情報に代わる情報を送出する検査一覧表示処理部と、検査結果を示す検査結果情報を保管し、前記検査一覧表示処理部から送出される情報に対応する検査結果情報を送出する検査結果保管部と、前記検査一覧表示処理部により生成された検査一覧画面情報に基づく検査一覧画面を表示装置に表示すると共に、前記検査結果保管部により送出された検査結果情報に基づく検査結果画面を表示装置に表示する表示処理部とを具備することを特徴とする。
【００１１】
本発明に係る検査一覧表示処理方法は、検査のオーダ情報と当該検査の実施結果情報とをオーダ情報／実施結果情報保管部に保管しておき、ある患者の検査の一覧を示す検査一覧画面の表示要求があった場合、検査一覧表示処理部により、前記オーダ情報／実施結果情報保管部に保管されているオーダ情報を元に検査一覧画面情報を生成すると共に、前記オーダ情報／実施結果情報保管部に保管されている実施結果情報のうち、実施登録日時が最新の検査のオーダ番号を取得し、検査結果保管部により、検査結果を示す検査結果情報を保管しておき、前記検査一覧表示処理部により取得されたオーダ番号に対応する検査結果情報を送出し、表示処理部により、前記検査一覧表示処理部により生成された検査一覧画面情報に基づく検査一覧画面を表示装置に表示すると共に、前記検査結果保管部により送出された検査結果情報に基づく検査結果画面を表示装置に表示することを特徴とする。
【発明の効果】
【００１２】
本発明によれば、検査一覧もしくは検査結果を表示させる際の使い勝手を向上させることが可能となる。
【発明を実施するための最良の形態】
【００１３】
以下、本発明に係わる検査一覧表示処理装置及び検査一覧表示処理方法の実施の形態について、図面を参照して説明する。
【００１４】
図１は、本発明の各実施形態に共通する医療検査システムの構成を示すブロック図である。
【００１５】
医療検査システムは、上位システムであるＨＩＳ（オーダリングシステム・電子カルテ等）１００のほか、その下位システムとして複数の画像部門システム２００（１，２，３，…，ｎ）を有する。また、各画像部門システムの下位には、複数のモダリティ３００（１，２，…，ｎ）を介して、検査画像保管装置／読影レポート装置４００が設けられる。
【００１６】
ＨＩＳ１００は、医師が患者を診察した結果を記録する電子カルテシステムや、診察の結果から検査指示を各検査部門に出すオーダーエントリーシステムである。各画像部門システム２００は、ＨＩＳ１００から送信されるオーダを受け、該当するモダリティ３００に患者情報やオーダ情報を送る。また、検査画像保管装置／読影レポート装置４００は、各モダリティ３００の検査結果（検査画像・読影レポート）を受け、ＨＩＳ１００へ通知することができる。
【００１７】
また、各画像部門システム２００と検査画像保管装置／読影レポート装置４００とには、検査一覧表示処理装置５００が接続されている。以下に説明する各実施形態では、この検査一覧表示処理装置５００の構成および動作について説明する。
【００１８】
図２は、本発明の各実施形態に係わる検査一覧表示処理装置に共通する基本的な構成を示す構成図である。
【００１９】
検査一覧表示処理装置は、院内の各画像検査（放射線検査部門、内視鏡検査部門、生理検査部門、病理検査門等）で発生する検査結果（画像・読影レポート）を表示するために、検査を選択するための一覧を表示する装置である。
【００２０】
この検査一覧表示処理装置は、検査一覧表示制御部００１、検査結果保管部００２、オーダ情報／実施結果情報保管部００３、および表示処理部００４を有する。なお、モニタ００５、検査結果表示用モニタ００６、および入力装置００７は、検査一覧表示処理装置に備えられていてもよいが、ここでは前述の画像部門システム（もしくはＨＩＳ）に備えられるものとする。また、オーダ情報／実施結果情報保管部００３は、前述の検査画像保管装置／読影レポート装置に備えられていてもよい。
【００２１】
検査一覧表示制御部００１は、表示処理部００４から検査一覧画面要求を受けた場合には、必要に応じてオーダ情報／実施結果情報保管部００３から必要な情報を取得し、取得した情報を元に検査結果保管部００２に対して検査一覧情報要求を行い、検査結果保管部００２から受け取った検査一覧情報を元に、要求された検査一覧画面情報を生成し、表示処理部００４へ返す。また、検査一覧表示制御部００１は、表示処理部００４から検査結果要求を受けた場合には、必要に応じてオーダ情報／実施結果情報保管部００３から必要な情報を取得し、取得した情報を元に検査結果保管部００２に対して検査一覧情報要求を行う。
【００２２】
検査結果保管部００２は、検査画像や読影レポートなどの検査結果情報を管理・保管し、検査一覧表示制御部００１からの検査一覧情報要求に応じて該当する検査一覧情報を取り出して検査一覧表示制御部００１へ送出したり、検査一覧表示制御部００１からの検査結果要求に応じて該当する検査結果情報を取り出して表示処理部００４へ送出したりするものである。この検査結果保管部００２には、各種の要求に応じられるよう、オーダ情報／実施結果情報保管部００３に保管されている情報の一部または全部と同じものを保管するように構成してもよい。この場合、検査一覧表示制御部００１は、オーダ情報／実施結果情報保管部００３にアクセスせずに、所望の情報要求を検査結果保管部００２に対して行うことができる。
【００２３】
オーダ情報／実施結果情報保管部００３は、患者情報と共に検査のオーダ情報や当該検査の実施結果情報を保管するものである。
【００２４】
表示処理部００４は、入力装置００７を操作する操作者からの検査一覧表示要求、検索要求、検索結果表示要求などの各種要求を受付け、対応する情報の要求（検査一覧画面要求、検査結果要求など）を検査一覧表示処理部１０１に対して行ったり、検査一覧表示制御部００１から得られる検査一覧画面情報に基づく検査一覧画面をモニタ００５に表示させたり、検査結果保管部００２から得られる検査結果情報に基づく検査結果画面を検査結果表示用モニタ００６に表示させたりするものである。
【００２５】
モニタ００５は、検査一覧画面などを表示する表示装置である。検査結果表示用モニタ００６は、検査結果画面を表示する表示装置である。モニタ００５および検査結果表示用モニタ００６は、一体化されていてもよい。入力装置００７は、検査一覧画面や検査結果画面を表示させるために操作者が入力操作を行う装置である。
【００２６】
図３は、検査結果表示方法の例を説明するための図である。
【００２７】
操作者はモニタ（テスクトップ）００５の検査一覧アイコンあるいはモニタ（オーダリング装置画面）の検査一覧ボタンから検査一覧画面を呼び出す。検査一覧画面には該当する患者の検査の一覧が表示され、あるいは必要により患者ＩＤ、氏名等を入力して検索ボタンを押すことで、該当する検査の一覧が表示される。操作者が任意の検索結果を選択すると、モニタ００５あるいは検査結果表示用モニタ００６に検査結果（検査画像・所見レポート表示ビュアー）が表示される。
【００２８】
図４は、オーダ情報／実施結果情報保管部００３に保管されるオーダ情報・実施結果情報のデータ構成の例を示す図である。オーダ情報・実施結果情報は、患者情報（患者ＩＤ、患者氏名、生年月日、性別、入院外来区分など）、オーダ情報（オーダ番号、オーダ登録日時、依頼科、依頼医、入院外来区分、病棟、病室、検査装置（撮影装置）、撮影方法、撮影部位など）、および実施結果情報（オーダ番号、実施登録日時、依頼科、依頼医、入院外来区分、病棟、病室、検査装置（撮影装置）、撮影方法、撮影部位など）から構成される。患者情報やオーダ情報は、上位システムから得られる情報であり、実施結果情報は下位システムから得られる情報である。
【００２９】
＜第１の実施の形態＞  （請求項１対応）
図５は、本発明の第１の実施の形態に係わる検査一覧表示処理装置の構成図である。なお、図１と共通する要素には同一の符号を付し、共通する部分の詳細な説明を省略する。以下、図１と異なる部分を中心に説明する。
【００３０】
図５中の符号Ｔ１は、第１の実施の形態における特徴部分を表している。
【００３１】
検査一覧表示処理部１０１は、ある患者の検査の一覧を示す検査一覧画面の表示要求があった場合、表示処理部００４から検査一覧画面要求を受け、オーダ情報／実施結果情報保管部００３に保管されているオーダ情報を元に検査一覧画面情報を生成して表示処理部００４に送出すると共に、オーダ情報／実施結果情報保管部００３に保管されている実施結果情報のうち、実施登録日時が最新の検査のオーダ番号を取得し、取得したオーダ番号を検査結果保管に通知する。
【００３２】
検査結果保管部００２は、検査一覧表示処理部１０１により通知されたオーダ番号に対応する検査結果情報を取り出して表示処理部００４へ送出する。
【００３３】
表示処理部００４は、検査一覧表示処理部１０１から送出された検査一覧画面情報に基づく検査一覧画面をモニタ００５に表示させると共に、検査結果保管部００２から送出された検査結果情報に基づく検査結果画面を検査結果表示用モニタ００６に表示させる。
【００３４】
次に、図５の構成図を参照しつつ、図６のフローチャートに従って、第１の実施の形態における動作について説明する。
【００３５】
表示処理部００４は、入力装置００７を通じて検査一覧表示要求を受けると（ステップＳ１１）、検査一覧表示処理部１０１に対して検査一覧画面要求を行う。
【００３６】
検査一覧画面要求を受けた検査一覧表示処理部１０１は、オーダ情報／実施結果情報保管部００３から該当するオーダ情報を取得する（ステップＳ１２）。
【００３７】
次に、検査一覧表示処理部１０１は、取得したオーダ情報を元に検査一覧画面情報を生成して表示処理部００４に送ると共に、実施登録日時が最新の検査のオーダ番号を検査結果保管部００２に送る（ステップＳ１３）。
【００３８】
オーダ番号を受けた検査結果保管部００２は、オーダ番号を元に該当する検査結果情報を取り出し、表示処理部００４へ送る（ステップＳ１４）。
【００３９】
検査一覧画面情報および検査結果情報を取得した表示処理部００４は、検査一覧画面をモニタ００５に表示させると共に、検査結果画面を検査結果表示用モニタ００６に表示させる（ステップＳ１５）。
【００４０】
第１の実施の形態によれば、操作者が一覧画面上で選択操作をしなくとも、自動で最新の検査結果を表示させることができ、操作性を向上させることが可能となる。
【００４１】
＜第２の実施の形態＞  （請求項２対応）
図７は、本発明の第２の実施の形態に係わる検査一覧表示処理装置の構成図である。なお、図５と共通する要素には同一の符号を付し、共通する部分の詳細な説明を省略する。以下、図５と異なる部分を中心に説明する。
【００４２】
図７中の符号Ｔ２は、第２の実施の形態における特徴部分を表している。
【００４３】
検査結果表示情報保管部２０７は、表示処理部２０４により表示される個々の検査結果画面を識別する検査結果表示情報を保管するものである。例えば、表示されている個々の検査結果画面に番号（画面番号）を付け、図８のように個々の画面番号を検査結果表示情報として保管する。
【００４４】
表示処理部２０４は、検査一覧画面が閉じられた場合に（閉じるボタンが押された場合、もしくは検索ボタンが押された場合に）、検査結果表示情報保管部２０７に保管されている検査結果表示情報に示される画面番号の検査結果画面を閉じる。
【００４５】
次に、図７の構成図を参照しつつ、図９のフローチャートに従って、第２の実施の形態における動作について説明する。
【００４６】
表示処理部２０４は、操作者からの検査一覧表示要求を受けると、検査一覧画面を表示する（ステップＳ２１）。
【００４７】
この後、表示処理部２０４は、検査一覧画面が表示中の状態において（ステップＳ２２のＮＯ）、操作者からの検査結果表示要求を受けると、検査結果画面を表示し（ステップＳ２３、Ｓ２４）、表示した検査結果画面に画面番号を付け、検査結果表示情報として検査結果表示情報保管部２０７に保管する（ステップＳ２５）。以降、こうした処理を繰り返す。
【００４８】
操作者が検査一覧画面において閉じるボタンもしくは検索ボタンを押すと、表示処理部２０４は、検査一覧画面を閉じ、検査結果表示情報保管部２０７に保管されている検査結果表示情報を参照して、記録されている全ての画面番号の検査結果画面を閉じる（消去する）（ステップＳ２６）。
【００４９】
第２の実施の形態によれば、他の患者の検査結果を誤って見てしまう危険を回避することができる。
【００５０】
＜第３の実施の形態＞  （請求項３対応）
図１０は、本発明の第３の実施の形態に係わる検査一覧表示処理装置の構成図である。なお、図５と共通する要素には同一の符号を付し、共通する部分の詳細な説明を省略する。以下、図５と異なる部分を中心に説明する。
【００５１】
図１０中の符号Ｔ３は、第３の実施の形態における特徴部分を表している。
【００５２】
表示処理部３０４は、絞込み条件付きの検索が可能な検査一覧画面を表示する。例えば、図１１に示されるように、検査一覧画面の上部には部位欄３０２を含む各種の欄が設けられている。個々の欄においては、プルダウンメニューなどの形で選択候補が提示され、操作者は候補を選択することができる。部位欄３０２においては、例えば、「全身」、「頭部」、「頸部」などの候補が用意されており、そのうちのいずれかを選択することができる。選択した後、検索ボタンを押すことにより、検索が実行され、絞込みが行われた検査一覧が検査一覧画面の下部に表示される。
【００５３】
表示処理部３０４は、ある患者の検査の一覧を示す検査一覧画面において検索の絞込み条件として部位が指定され、検索ボタンが押されると、部位の指定を含む検査一覧画面要求を検査一覧表示処理部３０１に対して行う。
【００５４】
部位情報保管部３０８は、例えば、図１２に示されるように、検査対象の部位と撮影装置毎に定められた部位コードとの対応関係を示す部位情報を保管するものである。
【００５５】
検査一覧表示処理部３０１は、部位の指定を含む検査一覧画面要求に応じて、部位情報保管部３０８に保管されている部位情報を参照して、対応する部位コードを取得し、取得した部位コードを元に検査結果保管部００２から対応する検査一覧情報を取得し、取得した検査一覧情報を元に検査一覧画面情報を生成して表示処理部へ送る。
【００５６】
次に、図１０の構成図を参照しつつ、図１３のフローチャートに従って、第３の実施の形態における動作について説明する。
【００５７】
表示処理部３０４は、操作者からの検査一覧表示要求を受けると、検査一覧画面を表示する（ステップＳ３１）。
【００５８】
表示処理部３０４は、絞込み条件として部位が指定された検索指示を受けると（ステップＳ３２）、部位の指定を含む検査一覧画面要求を検査一覧表示処理部３０１に対して行う。
【００５９】
要求を受けた検査一覧表示処理部３０１は、部位情報保管部３０８に保管されている部位情報を参照し、指定された部位に対応付けされている撮影装置ごとの部位コードを取得し、検査結果保管部００２へ送る（ステップＳ３３）。
【００６０】
部位コードを受けた検査結果保管部００２は、部位コードに対応する検査一覧を検査一覧表示処理部３０１へ送る（ステップＳ３４）。
【００６１】
検査一覧を受けた検査一覧表示処理部３０１は、検査一覧の画面情報を表示処理部３０４へ送る（ステップＳ３５）。
【００６２】
検査一覧の画面情報を受けた表示処理部３０４は、絞込みが行われた検査一覧を検査一覧画面内に表示する（ステップＳ３６）。
【００６３】
第３の実施の形態によれば、撮影装置毎に部位コードが異なっていても、指定した部位に関する検査一覧を表示させることができ、操作性を向上させることが可能となる。
【００６４】
＜第４の実施の形態＞  （請求項４対応）
図１４は、本発明の第４の実施の形態に係わる検査一覧表示処理装置の構成図である。なお、図１０と共通する要素には同一の符号を付し、共通する部分の詳細な説明を省略する。以下、図１０と異なる部分を中心に説明する。
【００６５】
図１４中の符号Ｔ４は、第４の実施の形態における特徴部分を表している。
【００６６】
オーダ選択情報保管部４０９は、前述した絞込み条件を示すオーダ選択情報を保管するものである。オーダ選択情報には、例えば図１５の示されるように、患者ＩＤ、患者氏名、撮影日時、撮影種別、依頼科、依頼医、部位などを含めることができる。
【００６７】
表示処理部４０４は、検査一覧画面を再び表示する際に、オーダ選択情報保管部４０９に保管されているオーダ選択情報に示される絞込み条件を検査一覧画面内に表示する。
【００６８】
次に、図１４の構成図を参照しつつ、図１６のフローチャートに従って、第４の実施の形態における動作について説明する。
【００６９】
表示処理部４０４は、操作者からの検査一覧表示要求を受けると、検査一覧画面を表示する（ステップＳ４１）。
【００７０】
表示処理部４０４は、絞込み条件として部位が指定された検索指示を受けると（ステップＳ４２）、その絞込み条件を示すオーダ選択情報をオーダ選択情報保管部４０９に保管する（ステップＳ４３）。
【００７１】
表示処理部４０４は、前述のステップＳ３４〜Ｓ３６のような処理により、絞込みが行われた検査一覧を表示した後、操作者による閉じるボタンの押下げに応じて検査一覧画面を閉じる（ステップＳ４４）。
【００７２】
表示処理部４０４は、再度、操作者からの検査一覧表示要求を受けると、検査一覧画面を表示し（ステップＳ４５）、オーダ選択情報保管部４０９に保管されているオーダ選択情報を参照して、記録されている絞込み条件を検査一覧画面内に表示する（ステップＳ４６）。
【００７３】
第４の実施の形態によれば、検査一覧画面を表示するたびに絞込み条件を設定する必要がなくなり、操作性を向上させることが可能となる。
【００７４】
＜第５の実施の形態＞  （請求項５対応）
図１７は、本発明の第５の実施の形態に係わる検査一覧表示処理装置の構成図である。なお、図１０と共通する要素には同一の符号を付し、共通する部分の詳細な説明を省略する。以下、図１０と異なる部分を中心に説明する。
【００７５】
図１７中の符号Ｔ５は、第５の実施の形態における特徴部分を表している。
【００７６】
操作者オーダ選択情報保管部５１０は、操作者を特定する操作者情報ごとの絞込み条件を示す操作者オーダ選択情報を保管するものである。操作者オーダ選択情報は、例えば図１８に示されるように、操作者ごとに、様々な異なる絞込み条件を記録させることができる。
【００７７】
ログイン情報保管部５１１は、操作者を判定するためのログイン情報を保管するものである。ログイン情報は、例えば図１９に示されるように、操作者ごとに、ログインＩＤやパスワードを記録させることができる。
【００７８】
表示処理部５０４は、検査一覧画面を再び表示する際に、ログイン情報保管部５１１に保管されているログイン情報と、オーダ選択情報保管部５１０に保管されている操作者オーダ選択情報とを参照して、該当する操作者の絞込み条件を検査一覧画面内に表示する。
【００７９】
次に、図１７の構成図を参照しつつ、図２０のフローチャートに従って、第５の実施の形態における動作について説明する。
【００８０】
表示処理部５０４は、操作者からの検査一覧表示要求を受けると、検査一覧画面を表示する（ステップＳ５１）。
【００８１】
表示処理部５０４は、絞込み条件として部位が指定された検索指示を受けると（ステップＳ５２）、ログイン情報保管部５１１に保管されているログイン情報に基づいて操作者を判定し、その操作者が指定した絞込み条件を示すオーダ選択情報を、操作者ごとに区分された操作者オーダ選択情報保管部４０９に保管する（ステップＳ５３）。
【００８２】
表示処理部５０４は、前述のステップＳ３４〜Ｓ３６のような処理により、絞込みが行われた検査一覧を表示した後、操作者による閉じるボタンの押下げに応じて検査一覧画面を閉じる（ステップＳ５４）。
【００８３】
表示処理部５０４は、再度、操作者からの検査一覧表示要求を受けると、検査一覧画面を表示し（ステップＳ５５）、ログイン情報保管部５１１に保管されているログイン情報に基づいて操作者を判定し、オーダ選択情報保管部４０９に保管されているオーダ選択情報を参照して、該当する操作者の絞込み条件を検査一覧画面内に表示する（ステップＳ５６）。
【００８４】
第５の実施の形態によれば、モニタの設置場所に関わらず、常に特定の操作者は特定の環境で検査一覧画面を表示することができるため、操作性を向上させることが可能となる。
【００８５】
＜第６の実施の形態＞  （請求項６対応）
図２１は、本発明の第６の実施の形態に係わる検査一覧表示処理装置の構成図である。なお、図１７と共通する要素には同一の符号を付し、共通する部分の詳細な説明を省略する。以下、図１７と異なる部分を中心に説明する。
【００８６】
図２１中の符号Ｔ６は、第６の実施の形態における特徴部分を表している。
【００８７】
検査一覧表示処理部３０１は、表示処理部６０４が検査一覧画面を再び表示する際に、検査結果保管部００２から絞込み条件に合致する検査一覧情報を取得し、取得した検査一覧情報を元に検査一覧画面情報を生成して表示処理部６０４へ送る。
【００８８】
表示処理部６０４は、検査一覧表示処理部３０１から送られた検査一覧画面情報に基づく検査一覧画面をモニタ００５に表示させる。
【００８９】
次に、図２１の構成図を参照しつつ、図２２のフローチャートに従って、第６の実施の形態における動作について説明する。
【００９０】
なお、図２１中のステップＳ５１〜Ｓ５６の処理は、既に説明した図２０中のステップＳ５１〜Ｓ５６の処理と同じになるため、その説明を省略する。
【００９１】
表示処理部６０４が絞り込み条件を検査一覧表示処理部３０１に通知すると（ステップＳ５７）、検査一覧表示処理部３０１は、絞込み条件に合致する検査一覧の画面情報を生成して表示処理部６０４へ送る（ステップＳ５８）。
【００９２】
検査一覧の画面情報を受けた表示処理部６０４は、絞込みが行われた検査一覧を検査一覧画面内に表示する（ステップＳ５９）。
【００９３】
第６の実施の形態によれば、検査を絞り込んだ結果を操作者があらためて選択しなくても、絞込みが行われた検査一覧を表示させることができ、操作性を向上させることが可能となる。
【００９４】
＜第７の実施の形態＞  （請求項７対応）
図２３は、本発明の第７の実施の形態に係わる検査一覧表示処理装置の構成図である。なお、図２１と共通する要素には同一の符号を付し、共通する部分の詳細な説明を省略する。以下、図２１と異なる部分を中心に説明する。
【００９５】
図２３中の符号Ｔ７は、第７の実施の形態における特徴部分を表している。
【００９６】
ＭＷＭ情報保管部７１２は、各検査室の撮影装置がDISCOM MWM (Digital Imaging and Communication in Medicine/Modality Worklist Management)規格に対応しているか否かを示すＭＷＭ情報を保管するものである。ＭＷＭ情報は、例えば図２４に示されるように、撮影装置ごとに（検査室ごとに）DISCOM MWM規格に対応しているか否かを示す。
【００９７】
検査一覧表示処理部７０１は、ある患者の検査の一覧を示す検査一覧画面の表示要求があった場合、オーダ情報／実施結果情報保管部００３に保管されているオーダ情報を元に検査一覧画面情報を生成すると共に、オーダ情報から撮影装置を示す情報を取得し、前記ＭＷＭ情報を参照して、当該検査装置がDISCOM MWM規格に対応しているか否かを判定し、DISCOM MWM規格に対応している場合にはオーダ情報を送出し、DISCOM MWM規格に対応している場合にはオーダ情報に代わる情報（患者ＩＤ、オーダ登録日時、検査装置などの組合せ）を送出する。
【００９８】
次に、図２３の構成図を参照しつつ、図２５のフローチャートに従って、第７の実施の形態における動作について説明する。
【００９９】
表示処理部６０４は、入力装置００７を通じて検査一覧表示要求を受けると（ステップＳ６１）、検査一覧表示処理部７０１に対して検査一覧画面要求を行う。
【０１００】
検査一覧画面要求を受けた検査一覧表示処理部７０１は、オーダ情報／実施結果情報保管部００３から該当するオーダ情報を取得する（ステップＳ６２）。
【０１０１】
次に、検査一覧表示処理部７０１は、取得したオーダ情報を元に検査一覧画面情報を生成して表示処理部６０４に送ると共に、オーダ情報から検査装置を示す情報を取得する（ステップＳ６３）。
【０１０２】
検査一覧表示処理部７０１は、ＭＷＭ情報保管部７１２に保管されているＭＷＭ情報を参照して、当該検査装置がDISCOM MWM規格に対応しているか否かを判定する（ステップＳ６４）。
【０１０３】
DISCOM MWM規格に対応していれば、患者ＩＤおよびオーダ情報を検査結果保管部００２に送る（ステップＳ６６）。一方、DISCOM MWM規格に対応していなければ、患者ＩＤ、オーダ登録日時、検査装置などの組合せを検査結果保管部００２に送る（ステップＳ６７）。
【０１０４】
情報を受けた検査結果保管部００２は、該当する検査結果情報を取り出し、表示処理部６０４へ送る（ステップＳ６８）。
【０１０５】
検査一覧画面情報および検査結果情報を取得した表示処理部６０４は、検査一覧画面をモニタ００５に表示させると共に、検査結果画面を検査結果表示用モニタ００６に表示させる（ステップＳ１５）。
【０１０６】
第７の実施の形態によれば、DISCOM MWM規格に対応していない撮影装置（検査装置）の検査結果についても検査一覧画面から検索・表示を行わせることができ、操作性を向上させることが可能となる。
【０１０７】
なお、各実施形態で説明した各種の機能もしくは処理手順は、コンピュータプログラムとして、コンピュータにより読み取り可能な記憶媒体（例えば磁気ディスク，光ディスク，半導体メモリ）に記憶させておき、必要に応じてそれをプロセッサにより読み出して実行するようにしてもよい。また、このようなコンピュータプログラムは、通信媒体を介してあるコンピュータから他のコンピュータに伝送することにより配布することも可能である。
【０１０８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０９】
【図１】本発明の各実施形態に共通する医療検査システムの構成を示すブロック図。
【図２】本発明の各実施形態に係わる検査一覧表示処理装置に共通する基本的な構成を示す構成図。
【図３】検査結果表示方法の例を説明するための図。
【図４】オーダ情報／実施結果情報保管部００３に保管されるオーダ情報・実施結果情報のデータ構成の例を示す図。
【図５】本発明の第１の実施の形態に係わる検査一覧表示処理装置の構成図。
【図６】本発明の第１の実施の形態における動作を示すフローチャート。
【図７】本発明の第２の実施の形態に係わる検査一覧表示処理装置の構成図。
【図８】検査結果表示情報保管部２０７に保管される検査結果表示情報の例を示す図。
【図９】本発明の第２の実施の形態における動作を示すフローチャート。
【図１０】本発明の第３の実施の形態に係わる検査一覧表示処理装置の構成図。
【図１１】検査一覧画面の例を示す図。
【図１２】部位情報保管部３０８に保管される部位情報の例を示す図。
【図１３】本発明の第３の実施の形態における動作を示すフローチャート。
【図１４】本発明の第４の実施の形態に係わる検査一覧表示処理装置の構成図。
【図１５】オーダ選択情報保管部４０９に保管されるオーダ選択情報の例を示す図。
【図１６】本発明の第４の実施の形態における動作を示すフローチャート。
【図１７】本発明の第５の実施の形態に係わる検査一覧表示処理装置の構成図。
【図１８】操作者オーダ選択情報保管部５１０に保管される操作者オーダ選択情報の例を示す図。
【図１９】ログイン情報保管部５１１に保管されるログイン情報の例を示す図。
【図２０】本発明の第５の実施の形態における動作を示すフローチャート。
【図２１】本発明の第６の実施の形態に係わる検査一覧表示処理装置の構成図。
【図２２】本発明の第６の実施の形態における動作を示すフローチャート。
【図２３】本発明の第７の実施の形態に係わる検査一覧表示処理装置の構成図。
【図２４】ＭＷＭ情報保管部７１２に保管されるＭＷＭ情報の例を示す図。
【図２５】本発明の第７の実施の形態における動作を示すフローチャート。
【符号の説明】
【０１１０】
００１，１０１，７０１…検査一覧表示処理部、００２…検査結果保管部、００３…オーダ情報・実施結果情報、００４，２０４，３０４，４０４，５０４，６０４…表示処理部、００５…モニタ、００６…検査結果表示用モニタ、００７…入力装置、２０７…検査結果表示情報保管部、３０２…部位欄、３０８…部位情報保管部、４０９…オーダ選択情報管理部、５１０…操作者オーダ情報選択情報保管部、５１１…ログイン情報、７１２…ＭＷＭ情報保管部。
【図１】
2009104551.tif 000003
【図２】
2009104551.tif 000004
【図３】
2009104551.tif 000005
【図４】
2009104551.tif 000006
【図５】
2009104551.tif 000007
【図６】
2009104551.tif 000008
【図７】
2009104551.tif 000009
【図８】
2009104551.tif 000010
【図９】
2009104551.tif 000011
【図１０】
2009104551.tif 000012
【図１１】
2009104551.tif 000013
【図１２】
2009104551.tif 000014
【図１３】
2009104551.tif 000015
【図１４】
2009104551.tif 000016
【図１５】
2009104551.tif 000017
【図１６】
2009104551.tif 000018
【図１７】
2009104551.tif 000019
【図１８】
2009104551.tif 000020
【図１９】
2009104551.tif 000021
【図２０】
2009104551.tif 000022
【図２１】
2009104551.tif 000023
【図２２】
2009104551.tif 000024
【図２３】
2009104551.tif 000025
【図２４】
2009104551.tif 000026
【図２５】
2009104551.tif 000027